(57)【要約】      （修正有）【課題】出射する光の指向性を変更可能な発光装置、及び、これを備えた表示装置、照明装置を提供する。【解決手段】発光装置は、第１の光源および第２の光源と、互いに対向する第１の主面および第２の主面と、第１の光源と対向する第１の端面と、第１の端面と対向するとともに第２の光源と対向する第２の端面とを有する導光板２０と備える。第１の主面および第２の主面の一方に、複数の第１の斜面部ＰＡ１および複数の第２の斜面部ＰＡ２が設けられ、第１の端面から第２の端面へ向かう第１の方向において、複数の第２の斜面部のうちの互いに隣り合う第２の斜面部のペアのそれぞれは、複数の第１の斜面部のうちの１つにより隔てられる。導光板は、複数の第１の斜面部ＰＡ１のうちの第１の部分に設けられた第３の斜面部と、複数の第１の斜面部ＰＡ１のうちの第２の部分に設けられた第４の斜面部とをさらに有する。【選択図】図３
2020098799.tif 000002
【特許請求の範囲】
【請求項１】
第１の光源および第２の光源と、
互いに対向する第１の主面および第２の主面と、前記第１の光源と対向する第１の端面と、前記第１の端面と対向するとともに前記第２の光源と対向する第２の端面とを有する導光板と、
前記第１の主面に対向配置されたプリズムシートと、
前記第２の主面に対向配置された反射シートと
を備え、
前記導光板は、複数の第１の斜面部および複数の第２の斜面部をさらに有し、
前記複数の第１の斜面部および前記複数の第２の斜面部は、前記第１の主面および前記第２の主面の一方に設けられ、
前記第１の端面から前記第２の端面へ向かう第１の方向において、前記複数の第２の斜面部のうちの互いに隣り合う前記第２の斜面部のペアのそれぞれは、前記複数の第１の斜面部のうちの１つにより隔てられ、
前記導光板は、前記複数の第１の斜面部のうちの第１の部分に設けられた第３の斜面部と、前記複数の第１の斜面部のうちの第２の部分に設けられた第４の斜面部とをさらに有する
発光装置。
【請求項２】
前記複数の第１の斜面部は、前記導光板における第１の板部分に設けられ、
前記複数の第２の斜面部は、前記導光板における第２の板部分に設けられ、
前記第１の方向において、前記導光板の前記第１の板部分は、前記導光板の前記第２の板部分よりも、薄くなる度合いが大きく、
前記複数の第２の斜面部の面積は、前記第２の端面から固定された範囲において、前記第２の端面から離れるにつれて増大する
請求項１に記載の発光装置。
【請求項３】
前記複数の第１の斜面部のそれぞれにおける傾斜度合いは、前記複数の第２の斜面部のそれぞれにおける傾斜度合いよりも小さい
請求項１に記載の発光装置。
【請求項４】
前記第１の方向において、前記導光板における前記複数の第１の斜面部のうちの前記第１の部分は、前記導光板における前記複数の第１の斜面部のうちの前記第２の部分よりも、薄くなる度合いが大きい
請求項１に記載の発光装置。
【請求項５】
前記第３の斜面部における傾斜度合いは、前記第４の斜面部における傾斜度合いよりも小さい
請求項１に記載の発光装置。
【請求項６】
前記第３の斜面部における傾斜度合いは、前記第１の斜面部における傾斜度合いよりも大きい
請求項１に記載の発光装置。
【請求項７】
前記複数の第１の斜面部のそれぞれにおける前記第３の斜面部の面積は、前記第１の端面から離れるにつれて減少し、
前記第３の斜面部および前記第４の斜面部は、前記第１の端面から固定された範囲に設けられた
請求項１に記載の発光装置。
【請求項８】
前記複数の第２の傾斜部の傾斜角度は、１９度以上かつ５９度以下である
請求項１に記載の発光装置。
【請求項９】
前記傾斜角度は、３９度以上かつ５９度以下である
請求項８に記載の発光装置。
【請求項１０】
前記導光板は、前記第１の主面および前記第２の主面のうちの他方に設けられたレンチキュラーレンズをさらに有する
請求項１に記載の発光装置。
【請求項１１】
前記レンチキュラーレンズは、前記第１の方向に延在する複数のレンズを有し、
前記複数のレンズは、前記第１の方向と交差する第２の方向に並設された
請求項１０に記載の発光装置。
【請求項１２】
前記プリズムシートは、前記第１の方向と交差する第２の方向に延在する複数のプリズムを有し、
前記複数のプリズムは、前記第１の方向に並設された
請求項１に記載の発光装置。
【請求項１３】
前記複数のプリズムのそれぞれは、前記第１の方向において非対称な形状を有する
請求項１２に記載の発光装置。
【請求項１４】
前記複数のプリズムのそれぞれは、稜線と、第１の面および第２の面とを有し、
前記稜線は、前記第２の方向に延在し、
前記稜線は、前記第１の面および前記第２の面の間に設けられ、
前記第１の面および前記第２の面の間の角は鋭角であり、
前記第１の面および前記第２の面のうちの少なくとも一方は、傾斜が変化する
請求項１２に記載の発光装置。
【請求項１５】
前記第１の面は、前記第１の光源に対向するように配置され、
前記第２の面は、前記第２の光源に対向するように配置され、
前記第１の面の傾斜の変化は、前記第２の面の傾斜の変化よりも大きい
請求項１４に記載の発光装置。
【請求項１６】
前記第１の光源および前記第２の光源は発光する
請求項１に記載の発光装置。
【請求項１７】
前記複数の第１の斜面部および前記複数の第２の斜面部は、前記第１の主面に設けられた
請求項１に記載の発光装置。
【請求項１８】
前記複数の第１の斜面部および前記複数の第２の斜面部は、前記第２の主面に設けられた
請求項１に記載の発光装置。
【請求項１９】
発光部を備え、
前記発光部は、
第１の光源および第２の光源と、
互いに対向する第１の主面および第２の主面と、前記第１の光源と対向する第１の端面と、前記第１の端面と対向するとともに前記第２の光源と対向する第２の端面とを有する導光板と、
前記第１の主面に対向配置されたプリズムシートと、
前記第２の主面に対向配置された反射シートと
を有し、
前記導光板は、複数の第１の斜面部および複数の第２の斜面部をさらに有し、
前記複数の第１の斜面部および前記複数の第２の斜面部は、前記第１の主面および前記第２の主面の一方に設けられ、
前記第１の端面から前記第２の端面へ向かう第１の方向において、前記複数の第２の斜面部のうちの互いに隣り合う前記第２の斜面部のペアのそれぞれは、前記複数の第１の斜面部のうちの１つにより隔てられ、
前記導光板は、前記複数の第１の斜面部のうちの第１の部分に設けられた第３の斜面部と、前記複数の第１の斜面部のうちの第２の部分に設けられた第４の斜面部とをさらに有する
表示装置。
【請求項２０】
表示部と非表示部とを有するフロントフェースをさらに備えた
請求項１９に記載の表示装置。
【請求項２１】
前記非表示部は、ユーザ操作部を有する
請求項２０に記載の表示装置。
【請求項２２】
発光装置を備え、
前記発光装置は、
第１の光源および第２の光源と、
互いに対向する第１の主面および第２の主面と、前記第１の光源と対向する第１の端面と、前記第１の端面と対向するとともに前記第２の光源と対向する第２の端面とを有する導光板と、
前記第１の主面に対向配置されたプリズムシートと、
前記第２の主面に対向配置された反射シートと
を有し、
前記導光板は、複数の第１の斜面部および複数の第２の斜面部をさらに有し、
前記複数の第１の斜面部および前記複数の第２の斜面部は、前記第１の主面および前記第２の主面の一方に設けられ、
前記第１の端面から前記第２の端面へ向かう第１の方向において、前記複数の第２の斜面部のうちの互いに隣り合う前記第２の斜面部のペアのそれぞれは、前記複数の第１の斜面部のうちの１つにより隔てられ、
前記導光板は、前記複数の第１の斜面部のうちの第１の部分に設けられた第３の斜面部と、前記複数の第１の斜面部のうちの第２の部分に設けられた第４の斜面部とをさらに有する
照明装置。
【発明の詳細な説明】
【技術分野】
【０００１】
本開示は、出射する光の指向性を変更可能な発光装置、およびこのような発光装置を備えた表示装置、ならびに照明装置に関する。
【背景技術】
【０００２】
例えば、液晶表示装置のバックライトには、光の指向性を切り替え可能なものがある。例えば、特許文献１，２には、第１の光源と、第２の光源と、第１の光源から出射した光を液晶パネルに導く第１の導光板と、第２の光源から出射した光を液晶パネルに導く第２の導光板とを備えた液晶表示装置が開示されている。また、特許文献３には、１枚の導光板と、２つの光源とを備えた液晶表示装置が開示されている。これらの液晶表示装置では、第１の光源が発光した場合と、第２の光源が発光した場合とで、光の指向性を変えようとするものである。このような液晶表示装置は、例えば、カーナビゲーションシステムや、立体表示装置に適用することができる。
【先行技術文献】
【特許文献】
【０００３】
【特許文献１】特開平１１−２７３４３８号公報
【特許文献２】特開２０１３−１３７３８８号公報
【特許文献３】特開２０１４−５６２０１号公報
【発明の概要】
【０００４】
このような液晶表示装置では、例えば、あるモードでは、光の出射方向の範囲を狭くし（指向性を高くし）、他のあるモードでは、視野角が広くなるように光の出射方向の範囲を広く（光の指向性を低く）する。その際、輝度の分布が均一であることが望まれる。
【０００５】
したがって、輝度分布の均一性を高めることができる発光装置、表示装置、ならびに照明装置を提供することが望ましい。
【０００６】
本開示の一実施の形態における発光装置は、第１の光源および第２の光源と、導光板と、プリズムシートと、反射シートとを備えている。導光板は、互いに対向する第１の主面および第２の主面と、第１の光源と対向する第１の端面と、第１の端面と対向するとともに第２の光源と対向する第２の端面とを有するものである。プリズムシートは、第１の主面に対向配置されたものである。反射シートは、第２の主面に対向配置されたものである。導光板は、複数の第１の斜面部および複数の第２の斜面部をさらに有し、複数の第１の斜面部および複数の第２の斜面部は、第１の主面および第２の主面の一方に設けられる。第１の端面から第２の端面へ向かう第１の方向において、複数の第２の斜面部のうちの互いに隣り合う第２の斜面部のペアのそれぞれは、複数の第１の斜面部のうちの１つにより隔てられている。導光板は、複数の第１の斜面部のうちの第１の部分に設けられた第３の斜面部と、複数の第１の斜面部のうちの第２の部分に設けられた第４の斜面部とをさらに有する。
【０００７】
本開示の一実施の形態における表示装置は、発光部を備えている。発光部は、第１の光源および第２の光源と、導光板と、プリズムシートと、反射シートとを有している。導光板は、互いに対向する第１の主面および第２の主面と、第１の光源と対向する第１の端面と、第１の端面と対向するとともに第２の光源と対向する第２の端面とを有するものである。プリズムシートは、第１の主面に対向配置されたものである。反射シートは、第２の主面に対向配置されたものである。導光板は、複数の第１の斜面部および複数の第２の斜面部をさらに有し、複数の第１の斜面部および複数の第２の斜面部は、第１の主面および第２の主面の一方に設けられる。第１の端面から第２の端面へ向かう第１の方向において、複数の第２の斜面部のうちの互いに隣り合う第２の斜面部のペアのそれぞれは、複数の第１の斜面部のうちの１つにより隔てられている。導光板は、複数の第１の斜面部のうちの第１の部分に設けられた第３の斜面部と、複数の第１の斜面部のうちの第２の部分に設けられた第４の斜面部とをさらに有する。
【０００８】
本開示の一実施の形態における照明装置は、上記発光装置を備えたものである。
【０００９】
本開示の一実施の形態における発光装置、表示装置、および照明装置では、第１の光源を発光させた場合には、第１の光源から射出した光が導光板の第１の端面に入射され、第２の光源を発光させた場合には、第２の光源から射出した光が導光板の第２の端面に入射される。そして、これらの光が第１の主面から出射され、プリズムシートを介して外部に出射される。
【００１０】
本開示の一実施の形態における発光装置、表示装置、および照明装置によれば、輝度分布の均一性を高めることができる。なお、ここに記載された効果は必ずしも限定されるものではなく、本開示中に記載されたいずれの効果があってもよい。
【図面の簡単な説明】
【００１１】
【図１】本開示の第１の実施の形態に係る発光装置の一構成例を表す斜視図である。
【図２】図１に示した導光板の一構成例を表す説明図である。
【図３】図２に示した導光板の一構成例を表す断面図である。
【図４】図２に示した導光板におけるあるパラメータを表す説明図である。
【図５】図２に示した導光板における他のパラメータを表す説明図である。
【図６】図２に示した導光板における他のパラメータを表す説明図である。
【図７】図２に示した導光板の一構成例を表す他の断面図である。
【図８】図２に示した導光板における他のパラメータを表す説明図である。
【図９】図２に示した導光板における他のパラメータを表す説明図である。
【図１０】図１に示したプリズムシートの一構成例を表す断面図である。
【図１１】図１に示した導光板における光の進行方向を表す説明図である。
【図１２】図１に示したプリズムシートにおける光の進行方向を表す説明図である。
【図１３】図１に示した発光装置の視野角特性を表す特性図である。
【図１４】図１に示した発光装置の視野角特性を表す他の特性図である。
【図１５】図１に示した発光装置の視野角特性を表す他の特性図である。
【図１６】参考例に係る発光装置のパラメータ例を表す表である。
【図１７】参考例に係る発光装置の一構成例を表す斜視図である。
【図１８】参考例に係る発光装置の視野角特性を表す特性図である。
【図１９】参考例に係る発光装置の視野角特性を表す他の特性図である。
【図２０】他の参考例に係る発光装置の視野角特性を表す特性図である。
【図２１Ａ】他の参考例に係るにおける輝度の分布を表す特性図である。
【図２１Ｂ】他の参考例に係るにおける輝度の分布を表す他の特性図である。
【図２２Ａ】他の参考例に係るにおける輝度の分布を表す特性図である。
【図２２Ｂ】他の参考例に係るにおける輝度の分布を表す他の特性図である。
【図２３Ａ】他の参考例に係るにおける輝度の分布を表す特性図である。
【図２３Ｂ】他の参考例に係るにおける輝度の分布を表す他の特性図である。
【図２４Ａ】他の参考例に係るにおける輝度の分布を表す特性図である。
【図２４Ｂ】他の参考例に係るにおける輝度の分布を表す他の特性図である。
【図２５Ａ】他の参考例に係るにおける輝度の分布を表す特性図である。
【図２５Ｂ】他の参考例に係るにおける輝度の分布を表す他の特性図である。
【図２６Ａ】他の参考例に係るにおける輝度の分布を表す特性図である。
【図２６Ｂ】他の参考例に係るにおける輝度の分布を表す他の特性図である。
【図２７】他の参考例に係る発光装置の視野角特性を表す特性図である。
【図２８】他の参考例に係る発光装置の視野角特性を表す特性図である。
【図２９Ａ】他の参考例に係る発光装置の視野角特性を表す特性図である。
【図２９Ｂ】他の参考例に係る発光装置の視野角特性を表す特性図である。
【図２９Ｃ】他の参考例に係る発光装置の視野角特性を表す特性図である。
【図２９Ｄ】他の参考例に係る発光装置の視野角特性を表す特性図である。
【図２９Ｅ】他の参考例に係る発光装置の視野角特性を表す特性図である。
【図２９Ｆ】他の参考例に係る発光装置の視野角特性を表す特性図である。
【図３０】変形例に係る発光装置の一構成例を表す斜視図である。
【図３１】第２の実施の形態に係る表示装置の一構成例を表す斜視図である。
【図３２Ａ】実施の形態を適用した電子ブックの外観構成を表す斜視図である。
【図３２Ｂ】実施の形態を適用した他の電子ブックの外観構成を表す斜視図である。
【図３３】実施の形態を適用したスマートフォンの外観構成を表す斜視図である。
【図３４】実施の形態を適用した照明装置の外観構成を表す斜視図である。
【発明を実施するための形態】
【００１２】
以下、本開示の実施の形態について、図面を参照して詳細に説明する。なお、説明は以下の順序で行う。
１．第１の実施の形態（発光装置）
２．第２の実施の形態（表示装置）
３．適用例
【００１３】
＜１．第１の実施の形態＞
［構成例］
図１は、第１の実施の形態に係る発光装置（発光装置１）の一構成例を表すものである。発光装置１は、例えば、透過型の液晶表示パネルを背後から照明するバックライトとして、あるいは室内等において照明装置として用いられるものである。発光装置１は、複数の光源１０Ａと、複数の光源１０Ｂと、導光板２０と、反射シート３０と、プリズムシート４０と、拡散シート５０とを備えている。
【００１４】
光源１０Ａ，１０Ｂは、導光板２０に対して光を出射する光源であり、例えば発光ダイオード（ＬＥＤ；Light Emitting Diode）により構成されるものである。光源１０Ａは、例えば、パッケージ内に封止されるとともに、光源基板１２Ａに実装される。複数の光源１０Ａは、Ｙ軸方向（上下方向）に並設され、導光板２０の光入射面２０Ａに対向するように配置される。同様に、光源１０Ｂは、例えば、パッケージ内に封止されるとともに、光源基板１２Ｂに実装される。複数の光源１０Ｂは、Ｙ軸方向（上下方向）に並設され、導光板２０の光入射面２０Ｂに対向するように配置される。複数の光源１０Ａからなる光源部と、複数の光源１０Ｂからなる光源部は、個別に発光可能に構成されている。具体的には、発光装置１では、後述するように、複数の光源１０Ａが発光する場合には光の出射方向の範囲を狭くし（指向性を高くし）、複数の光源１０Ｂが発光する場合には光の出射方向の範囲を広く（指向性を低く）するようになっている。
【００１５】
導光板２０は、複数の光源１０Ａ，１０Ｂから出射した光をプリズムシート４０に導くものであり、例えば、ポリカーボネート樹脂やアクリル樹脂（例えば、ＰＭＭＡ（ポリメチルメタクリレート））などの透明熱可塑性樹脂を主に含んで構成されるものである。導光板２０は、Ｚ軸方向（前後方向）に対向する１対の主面（表面および裏面）と、これらの４辺同士を繋ぐ４つの端面（側面）とからなる略直方体形状の部材である。４つの端面のうち、Ｘ軸方向（左右方向）に対向する２つの面が光入射面２０Ａ，２０Ｂである。光入射面２０Ａは、複数の光源１０Ａと対向する面であり、光入射面２０Ｂは、複数の光源１０Ｂと対向する面である。また、１対の主面のうちの表面は光出射面２０Ｃであり、裏面が光出射面２０Ｄである。光出射面２０Ｃは、プリズムシート４０と対向する面であり、光出射面２０Ｄは、反射シート３０と対向する面である。導光板２０は、光入射面２０Ａから入射した光を光出射面２０Ｃに導くとともに、光入射面２０Ｂから入射した光を光出射面２０Ｃに導くようになっている。
【００１６】
導光板２０の光出射面２０Ｃ（表面）は、図１に示したように、レンチキュラー形状を有している。すなわち、この光出射面２０Ｃには、ＹＺ面において略半円状の断面形状を有するとともにＸ軸方向に延在するレンズが、Ｙ軸方向に並設されている。また、導光板２０の光出射面２０Ｄ（裏面）には、以下に説明するように、複数のプリズムＰＡ，ＰＢが形成されている。
【００１７】
図２は、導光板２０を表すものである。図３は、導光板２０の光出射面２０Ｄ（裏面）の一構成例を表すものであり、（Ａ）は、図２に示した部分Ｗ１における光出射面２０Ｄの形状を示し、（Ｂ）は、図２に示した部分Ｗ２における光出射面２０Ｄの形状を示し、（Ｃ）は、図２に示した部分Ｗ３における光出射面２０Ｄの形状を示す。この図３では、説明の便宜上、傾斜などを誇張して描いている。
【００１８】
導光板２０では、光出射面２０Ｄの全面にわたり、Ｙ軸方向に延在する複数のプリズムＰＡがＸ軸方向に並設されている。プリズムＰＡは、稜線と、その稜線を挟む２つの面（緩斜面ＰＡ１および急斜面ＰＡ２）とを有する。プリズムＰＡの稜線は、Ｙ軸方向に延在するように形成されている。緩斜面ＰＡ１は、Ｘ軸方向に進むにつれて導光板２０が薄くなるような傾斜面であり、急斜面ＰＡ２は、Ｘ軸方向に進むにつれて導光板２０が厚くなるような傾斜面である。急斜面ＰＡ２の傾斜度合いは、緩斜面ＰＡ１の傾斜度合いよりも大きくなっている。このようにして、導光板２０の光出射面２０Ｄには、複数のプリズムＰＡが階段状に形成される。
【００１９】
この例では、プリズムＰＡの幅ＬＡは、互いに等しくなっている。具体的には、幅ＬＡは、例えば０．２［ｍｍ］にすることができる。また、以下に示すように、緩斜面ＰＡ１の傾斜角度（緩斜面角度θ１）、急斜面ＰＡ２の傾斜角度（急斜面角度θ２）、およびプリズムＰＡの高さＨＡ（急斜面ＰＡ２の高低差）は、導光板２０におけるＸ軸座標に応じて変化するようになっている。
【００２０】
図４は、緩斜面ＰＡ１の緩斜面角度θ１を表すものであり、図５は、プリズムＰＡの高さＨＡを表すものである。これらの図において、横軸は、導光板２０の裏面側からみた、導光板２０の左右方向の中心からの距離（座標）である。すなわち、図４，５において、左にいくほど光入射面２０Ｂに近いことを示し、右にいくほど光入射面２０Ａに近いことを示している。これらの図には、説明の便宜上、図２に示した部分Ｗ１〜Ｗ３に対応する部分に印をつけている。なお、急斜面角度θ２は、この例では、４９度−θ１にしている。すなわち、急斜面角度θ２は、約４９度である。
【００２１】
プリズムＰＡの高さＨＡは、図５に示したように、光入射面２０Ａ（右端）の近傍を除き、光入射面２０Ｂ（左端）から遠ざかるにつれて徐々に高くなる。このとき、緩斜面角度θ１は、図４に示したように、徐々に小さくなる。プリズムＰＡの幅ＬＡは互いに等しく、急斜面角度θ２は約４９度でありほぼ一定であるので、プリズムＰＡにおける急斜面ＰＡ２の面積割合は、光入射面２０Ｂ（左端）から遠ざかり、プリズムＰＡの高さＨＡが高くなるにつれて徐々に高くなる。そして、光入射面２０Ａ（右端）の近傍では、高さＨＡは低くなるとともに、緩斜面角度θ１は大きくなる。
【００２２】
図６は、導光板２０の厚さＤを表すものである。この図６には、説明の便宜上、図２に示した部分Ｗ１〜Ｗ３に対応する部分に印をつけている。導光板２０の厚さＤは、図６に示したように、光入射面２０Ｂ（左端）から中心付近まで徐々に厚くなり、中心付近から光入射面２０Ａ（右端）の近傍まで徐々に薄くなる。そして、光入射面２０Ａ（右端）付近において若干厚くなる。すなわち、各プリズムＰＡの左端と右端における導光板２０の厚さＤは、必ずしも同じではなく、その結果、導光板２０の厚さＤは、Ｘ軸座標に応じて変化する。具体的には、光入射面２０Ｂ（左端）から中心付近までの範囲では、プリズムＰＡの高さＨＡが低く（図５）、各プリズムＰＡにおける急斜面ＰＡ２の割合が少ないため、導光板２０の厚さＤは、徐々に厚くなる。そして、中心付近から光入射面２０Ａ（右端）の近傍までの範囲では、プリズムＰＡの高さＨＡが高く（図５）、プリズムＰＡにおける急斜面ＰＡ２の割合が多いため、導光板２０の厚さＤは、徐々に薄くなるようになっている。
【００２３】
また、図２，３に示したように、導光板２０では、光出射面２０Ｄのうち、光入射面２０Ａの近傍（例えば部分Ｗ３）において、緩斜面ＰＡ１のそれぞれにプリズムＰＢが形成されている。プリズムＰＢは、この例では、緩斜面ＰＡ１のそれぞれの中央付近に１つ形成されている。
【００２４】
図７は、プリズムＰＢの一構成例を表すものである。プリズムＰＢは、稜線と、その稜線を挟む２つの面（緩斜面ＰＢ１および急斜面ＰＢ２）とを有する。プリズムＰＢの稜線は、Ｙ軸方向に延在するように形成されている。緩斜面ＰＢ１は、Ｘ軸方向に進むにつれて導光板２０が薄くなるような傾斜面であり、急斜面ＰＢ２は、Ｘ軸方向に進むにつれて導光板２０が厚くなるような傾斜面である。急斜面ＰＢ２の傾斜度合いは、緩斜面ＰＢ１の傾斜度合いよりも大きくなっている。また、このプリズムＰＢの緩斜面ＰＢ１の傾斜度合いは、プリズムＰＡの緩斜面ＰＡ１の傾斜度合いよりも大きくなっている。以下に示すように、緩斜面ＰＢ１の傾斜角度（緩斜面角度θ３）、急斜面ＰＢ２の傾斜角度（急斜面角度θ４）、プリズムＰＢの幅ＬＢ、およびプリズムＰＢの高さＨＢ（急斜面ＰＢ２の高低差）は、導光板２０におけるＸ軸座標に応じて変化するようになっている。
【００２５】
図８は、緩斜面ＰＢ１の緩斜面角度θ３を表すものであり、図９は、プリズムＰＡの緩斜面ＰＡ１におけるプリズムＰＢの緩斜面ＰＢ１の割合（面積率Ｓ）を表すものである。なお、急斜面角度θ４は、この例では、４９度−θ３にしており、幅ＬＢは、面積率Ｓに対応し、高さＨＢは、角度θ３，θ４および幅ＬＢと対応している。
【００２６】
プリズムＰＢの面積率Ｓは、図９に示したように、光入射面２０Ａ（右端）の近傍において、光入射面２０Ａに近づくほど高くなる。そして、プリズムＰＢの緩斜面角度θ３は、図８に示したように、光入射面２０Ａ（右端）の近傍において、光入射面２０Ａに近づくほど大きくなる。すなわち、プリズムＰＢは、光入射面２０Ａ（右端）の近傍においてのみ設けられており、光入射面２０Ａに近づくほど大きくなる。
【００２７】
これらのプリズムＰＡ，ＰＢは、例えば、単結晶ダイヤモンドバイトを用いて導光板２０の金型を削り、射出成形でその形状を転写させることにより生成することができる。なお、以上で説明した角度θ１〜θ４の値は、一例であり、例えば、加工精度と同程度のばらつきが生じてもよい。具体的には、プリズムＰＡ，ＰＢの角が、射出成形で完全に転写しきれずに曲面になる場合には、緩斜面ＰＡ１，ＰＢ１および急斜面ＰＡ２，ＰＢ２の一部がそれぞれ曲面となる。この場合には、例えば、緩斜面角度θ１は、緩斜面ＰＡ１における緩斜面角度θ１の平均値にすることができる。角度θ２〜θ４についても同様である。
【００２８】
このように、導光板２０の光出射面２０Ｄ（裏面）には、複数のプリズムＰＡ，ＰＢが形成されている。これにより、発光装置１では、後述するように、複数の光源１０Ａが発光する場合には光の出射方向の範囲を狭くし（指向性を高くし）、複数の光源１０Ｂが発光する場合には光の出射方向の範囲を広く（指向性を低く）するようになっている。
【００２９】
反射シート３０（図１）は、導光板２０の光出射面２０Ｄ（裏面）と対向するように設けられたものであり、導光板２０の光出射面２０Ｄから出射した光を反射させるものである。具体的には、反射シート３０は、光源１０Ａ，１０Ｂから導光板２０へ入射した後に光出射面２０Ｄから漏れ出てきた光を、導光板２０に戻すものである。反射シート３０は、例えば、反射、拡散、散乱などの機能を有しており、これにより、光源１０Ａ，１０Ｂからの光を効率的に利用し、輝度を高めることができるようになっている。
【００３０】
反射シート３０は、例えば、発砲ＰＥＴ（ポリエチレンテレフタレート）、銀蒸着フィルム、多層膜反射フィルム、または白色ＰＥＴにより構成されている。反射シートに正反射（鏡面反射）の機能を持たせる場合には、反射シート３０の表面は、銀蒸着、アルミニウム蒸着、または多層膜反射などの処理がなされたものであることが好ましい。反射シート３０に微細形状を付与する場合は、反射シート３０は、熱可塑性樹脂を用いた熱プレス成型、または溶解押し出し成型などの手法で一体的に形成されていてもよいし、また、例えばＰＥＴなどからなる基材上にエネルギー線（例えば紫外線）硬化樹脂を塗布した後、そのエネルギー線硬化樹脂に形状を転写して形成されていてもよい。ここで、熱可塑性樹脂としては、例えば、ポリカーボネート樹脂、ＰＭＭＡ（ポリメチルメタクリレート樹脂）などのアクリル樹脂、ポリエチレンテレフタレートなどのポリエステル樹脂、ＭＳ（メチルメタクリレートとスチレンの共重合体）などの非晶性共重合ポリエステル樹脂、ポリスチレン樹脂およびポリ塩化ビニル樹脂などが挙げられる。また、エネルギー線（例えば紫外線）硬化樹脂に形状を転写する場合は、基材はガラスであってもよい。
【００３１】
プリズムシート４０（図１）は、複数のプリズムＱが形成されたシートであり、導光板２０の光出射面２０Ｃ（表面）から出射した光を拡散シート５０に導くものである。プリズムシート４０の裏面は光入射面４０Ａであり、表面は光出射面４０Ｂである。光入射面４０Ａは、導光板２０の光出射面２０Ｃと対向する面であり、この光入射面４０Ａには、複数のプリズムＱが形成されている。光出射面４０Ｂは、拡散シート５０と対向する面である。プリズムシート４０は、例えば、反射シート３０と同様に、ＰＥＴなどからなる基材上にエネルギー線（例えば紫外線）硬化樹脂を塗布した後、そのエネルギー線硬化樹脂にプリズム形状を転写して形成されていてもよいし、ＰＣ（ポリカーボネート）等の熱可塑性樹脂を用いた熱プレス成型などの手法で、基材とプリズム形状とが一体的に形成されていてもよい。
【００３２】
図１０は、プリズムシート４０の光入射面４０Ａ（裏面）の一構成例を表すものである。  プリズムシート４０では、光入射面４０Ａの全面にわたり、ＸＺ面において略三角形状の断面形状を有するとともにＹ軸方向に延在する複数のプリズムＱがＸ軸方向に並設されている。プリズムＱは、稜線と、その稜線を挟む２つの面ＱＡ，ＱＢとを有する。プリズムＱの稜線は、Ｙ軸方向に延在するように形成されている。面ＱＡは、Ｘ軸方向に進むにつれてプリズムシート４０が薄くなるような面であり、面ＱＢは、Ｘ軸方向に進むにつれてプリズムシート４０が厚くなるような面である。
【００３３】
面ＱＡは、より具体的には、稜線側から順に、２つの面ＱＡ１，ＱＡ２を含んでいる。この例では、面ＱＡ１とプリズムシート４０の法線（Ｚ軸）との間の角度θＡ１は３４度であり、面ＱＡ１のＸ軸方向の幅は９［μｍ］である。また、この例では、面ＱＡ２とプリズムシート４０の法線との間の角度θＡ２は３０度であり、面ＱＡ２のＸ軸方向の幅は６．７［μｍ］である。同様に、面ＱＢは、より具体的には、稜線側から順に、３つの面ＱＢ１，ＱＢ２，ＱＢ３を含んでいる。この例では、面ＱＢ１とプリズムシート４０の法線との間の角度θＢ１は３７度であり、面ＱＢ１のＸ軸方向の幅は６［μｍ］である。また、この例では、面ＱＢ２とプリズムシート４０の法線との間の角度θＢ２は２９度であり、面ＱＢ２のＸ軸方向の幅は４．５［μｍ］である。また、この例では、面ＱＢ３とプリズムシート４０の法線との間の角度θＢ３は２３度であり、面ＱＢ３のＸ軸方向の幅は３．８［μｍ］である。
【００３４】
このように、プリズムＱは、Ｘ軸方向において非対称な形状を有しており、面ＱＡでは、角度が４度（＝３４−３０）変化し、面ＱＢでは、角度が１４度（＝３７−２３）変化する。このように、プリズムＱでは、面ＱＢにおける角度の変化は、面ＱＡにおける角度の変化よりも大きい。これにより、発光装置１では、後述するように、複数の光源１０Ａが発光する場合には光の出射方向の範囲を狭くし（指向性を高くし）、複数の光源１０Ｂが発光する場合には光の出射方向の範囲を広く（指向性を低く）するようになっている。
【００３５】
拡散シート５０は、プリズムシート４０の光出射面４０Ｂから出射した光を拡散するものであり、例えば、マイクロレンズアレイ（ＭＬＡ）を含んで構成されるものである。この拡散シート５０を設けることにより、発光装置１では、後述するように、例えば、複数の光源１０Ｂを発光させ、光の出射方向の範囲を広く（指向性を低く）する際に、視野角特性を改善するようになっている。
【００３６】
ここで、光源１０Ａは、本開示における「第１の光源」の一具体例に対応し、光源１０Ｂは、本開示における「第２の光源」の一具体例に対応する。光入射面２０Ａは、本開示における「第１の端面」の一具体例に対応し、光入射面２０Ｂは、本開示における「第２の端面」の一具体例に対応する。光出射面２０Ｃは、本開示における「第１の主面」の一具体例に対応し、光出射面２０Ｄは、本開示における「第２の主面」の一具体例に対応する。緩斜面ＰＡ１は、本開示における「第１の斜面部」の一具体例に対応し、急斜面ＰＡ２は、本開示における「第２の斜面部」の一具体例に対応する。緩斜面ＰＢ１は、本開示における「第３の斜面部」の一具体例に対応し、急斜面ＰＢ２は、本開示における「第４の斜面部」の一具体例に対応する。面ＱＢは、本開示における「第１の面」の一具体例に対応し、面ＱＡは、本開示における「第２の面」の一具体例に対応する。
【００３７】
［動作および作用］
続いて、本実施の形態の発光装置１の動作および作用について説明する。
【００３８】
（全体動作概要）
まず、図１などを参照して、発光装置１の全体動作概要を説明する。複数の光源１０Ａ，１０Ｂは、光を出射する。導光板２０は、複数の光源１０Ａ，１０Ｂから出射した光をプリズムシート４０に導く。反射シート３０は、導光板２０の光出射面２０Ｄ（裏面）から出射した光を反射させる。プリズムシート４０は、導光板２０の光出射面２０Ｃから出射した光を拡散シート５０に導く。拡散シート５０は、プリズムシート４０の光出射面４０Ｂから出射した光を拡散する。
【００３９】
（導光板２０の作用）
導光板２０は、複数の光源１０Ａ，１０Ｂから出射した光をプリズムシート４０に導く。その際、発光装置１では、導光板２０の光出射面２０Ｄ（裏面）に形成された複数のプリズムＰＡ，ＰＢにより、以下に説明するように、複数の光源１０Ａが発光する場合には光の出射方向の範囲を狭くし（指向性を高くし）、複数の光源１０Ｂが発光する場合には光の出射方向の範囲を広く（指向性を低く）する。
【００４０】
図１１は、導光板２０における光線の一例を表すものである。この例では、プリズムＰＡのみが形成されている導光板２０の中央付近での振る舞いを示している。以下、光源１０Ａから出射した光ＬＡと、光源１０Ｂから出射した光ＬＢとを例に説明する。
【００４１】
光源１０Ａが発光する場合には、光源１０Ａから出射した光ＬＡは、まず、光入射面２０Ａから導光板２０に入射する。そして、導光板２０に入射した光ＬＡは、図１１に示したように、光出射面２０Ｃ（表面）および光出射面２０Ｄ（裏面）の緩斜面ＰＡ１において反射を繰り返しながら、進行する。その際、緩斜面ＰＡ１は傾斜を有しているため、光ＬＡの進行方向（進行角度）が徐々に変化する。その結果、光出射面２０Ｃへの入射角が、反射の度に変化する。そして、このように反射を繰り返した後、光出射面２０Ｃへの入射角が、所定の角度範囲に入ると、光ＬＡは、光出射面２０Ｃ（表面）から、光出射面２０Ｃの法線方向（Ｚ軸方向）からずれた方向に出射する。このようにして、光源１０Ａが発光する場合には、導光板２０から出射する光ＬＡの出射方向の範囲が狭くなる。
【００４２】
一方、光源１０Ｂが発光する場合には、光源１０Ｂから出射した光ＬＢは、まず、光入射面２０Ｂから導光板２０に入射する。そして、導光板２０に入射した光ＬＢのうちの一部の光ＬＢ１は、例えば、光出射面２０Ｄ（裏面）の急斜面ＰＡ２において反射され、光出射面２０Ｃ（表面）から、光出射面２０Ｃの法線方向（Ｚ軸方向）に近い方向から出射する。また、導光板２０に入射した光のうちの他の一部の光ＬＢ２は、例えば、光出射面２０Ｄ（裏面）の急斜面ＰＡ２を透過し、反射シート３０において反射され、導光板２０に再度入射する。その後、光ＬＢ２は、光出射面２０Ｃ（表面）から、光出射面２０Ｃの法線方向（Ｚ軸方向）からずれた方向に出射する。このようにして、光源１０Ｂが発光する場合には、導光板２０から出射する光ＬＢの出射方向の範囲が広くなる。
【００４３】
なお、この例では、プリズムＰＡの作用について説明したが、プリズムＰＢについても同様である。
【００４４】
このようにして、導光板２０では、光出射面２０Ｄ（裏面）に複数のプリズムＰＡ，ＰＢを設けたので、複数の光源１０Ａが発光する場合には光の出射方向の範囲を狭くし（指向性を高くし）、複数の光源１０Ｂが発光する場合には光の出射方向の範囲を広く（指向性を低く）することができる。
【００４５】
（プリズムシート４０の作用）
プリズムシート４０は、導光板２０の光出射面２０Ｃから出射した光を拡散シート５０に導く。その際、発光装置１では、Ｘ軸方向において非対称な形状を有するプリズムＱにより、以下に説明するように、複数の光源１０Ａが発光する場合には光の出射方向の範囲を狭くし（指向性を高くし）、複数の光源１０Ｂが発光する場合には光の出射方向の範囲を広く（指向性を低く）する。
【００４６】
図１２は、プリズムシート４０における光線の一例を表すものである。以下、光源１０Ａが発光する場合において導光板２０から出射する光ＬＡと、光源１０Ｂが発光する場合において導光板２０から出射する光ＬＢを例に説明する。
【００４７】
光源１０Ａが発光する場合には、導光板２０から出射した光ＬＡが、プリズムシート４０の光入射面４０Ａから入射する。そして、この光ＬＡは、プリズムＱの面ＱＡにおいて反射され、光出射面４０Ｂから、光出射面４０Ｂの法線方向（Ｚ軸方向）に近い方向に出射する。その際、図１２に示したように、導光板２０から出射する光ＬＡの出射方向がややずれていても、互いに傾斜がやや異なる２つの面ＱＡ１，ＱＡ２において反射することにより、進行方向が互いに近づく。
【００４８】
一方、光源１０Ｂが発光する場合には、導光板２０から出射した光ＬＢが、プリズムシート４０の光入射面４０Ａから入射する。そして、この光ＬＢは、プリズムＱの面ＱＢにおいて反射され、光出射面４０Ｂの法線方向（Ｚ軸方向）を中心とした広い方向に出射される。その際、図１２に示したように、導光板２０から出射する光ＬＢの出射方向が同じであっても、プリズムＱの面ＱＢにおける反射する場所（面ＱＢ１〜ＱＢ３）に応じて、光ＬＢは、互いに異なる方向に進行していく。上述したように、光源１０Ｂが発光する場合には、導光板２０から出射する光ＬＢの出射方向の範囲は広い。光ＬＢは、このプリズムシート４０により、進行方向の範囲がさらに広げられ、プリズムシート４０の光出射面４０Ｂから出射する光ＬＢの出射方向の範囲はさらに広がる。
【００４９】
このようにして、プリズムシート４０では、光出射面４０Ｂ（裏面）に複数のプリズムＱを設けたので、複数の光源１０Ａが発光する場合には光の出射方向の範囲を狭くし（指向性を高くし）、複数の光源１０Ｂが発光する場合には光の出射方向の範囲を広く（指向性を低く）することができる。
【００５０】
（発光装置１の視野角特性）
図１３は、光源１０Ａが発光する場合の発光装置１の視野角特性を表すものであり、図１４は、光源１０Ｂが発光する場合の発光装置１の視野角特性を表すものである。図１３，１４において、横軸は、水平方向（左右方向）の観測角度を示し、縦軸は、垂直方向（上下方向）の観測角度を示す。図１３，１４は、それぞれ９本の等高線を示しており、この９本の等高線により、水平観測角度および垂直観測角度がともに０度の方向で観測されるピーク光度を１０等分している。
【００５１】
図１５は、発光装置１の視野角特性を表すものである。ＷＨＡ，ＷＶＡは、光源１０Ａが発光する場合の発光装置１の視野角特性を表すものであり、ＷＨＡは水平方向の視野角特性を示し、ＷＶＡは垂直方向の視野角特性を示す。ＷＨＢ，ＷＶＢは、光源１０Ｂが発光する場合の発光装置１の視野角特性を表すものであり、ＷＨＢは水平方向の視野角特性を示し、ＷＶＢは垂直方向の視野角特性を示す。図１５において、横軸は、観測角度（水平観測角度または垂直観測角度）を示し、縦軸は、正規化された光度を示す。この正規化された光度は、光度のピーク値を１にした場合の光度である。
【００５２】
図１３〜１５に示したように、水平観測角度および垂直観測角度が０度からずれるに従い、輝度が低下する。その際、光源１０Ａが発光する場合には、図１３に示したように、水平方向、垂直方向ともに、視野角を狭くすることができ、光源１０Ｂが発光する場合には、図１４に示したように、水平方向、垂直方向ともに、視野角を広くすることができる。
【００５３】
次に、いくつかの参考例を用いて、本実施の形態の作用を説明する。
【００５４】
図１６は、６つの参考例に係る発光装置Ｓ０〜Ｓ５における各パラメータを、発光装置１における各パラメータとともに表したものである。この図１６において、太線で囲まれたパラメータは、発光装置１のパラメータと同じである。以下、発光装置Ｓ０〜Ｓ５について、詳細に説明する。
【００５５】
（発光装置Ｓ０）
図１７は、発光装置Ｓ０の一構成例を表すものである。発光装置Ｓ０は、導光板１２０と、プリズムシート１４０とを備えている。
【００５６】
導光板１２０は、Ｚ軸方向（前後方向）に対向する１対の主面（表面および裏面）と、これらの４辺同士を繋ぐ４つの端面（側面）とからなる略直方体形状の部材である。４つの端面のうち、Ｘ軸方向（左右方向）に対向する２つの面が光入射面１２０Ａ，１２０Ｂである。また、１対の主面のうちの表面は光出射面１２０Ｃであり、裏面が光出射面１２０Ｄである。
【００５７】
導光板１２０の光出射面１２０Ｃ（表面）には、図１７に示したように、ＹＺ面において３角形の断面形状を有するとともにＸ軸方向に延在するレンズが、Ｙ軸方向に並設されている。このレンズの頂角は１２０度であり、レンズのＹ軸方向におけるピッチは０．１［ｍｍ］である。
【００５８】
また、導光板１２０の光出射面１２０Ｄ（裏面）には、複数のプリズムＰＡが形成されている。プリズムＰＡの緩斜面角度θ１は、Ｘ軸座標に依らず一定であり、０．１５度である。また、プリズムＰＡの急斜面角度θ２は、Ｘ軸座標に依らず一定であり、７０度である。プリズムＰＡの幅ＬＡは、Ｘ軸座標に依らず一定であり、０．２［ｍｍ］である。よって、プリズムＰＡの高さＨＡもまた、Ｘ軸座標に依らず一定である。また、導光板２０の厚さＤもまた、Ｘ軸座標に依らず一定である。
【００５９】
プリズムシート１４０の光入射面１４０Ａ（裏面）には、複数のプリズムＱが形成されている。プリズムＱは、Ｘ軸方向において対称な形状を有するものであり、頂角は６８度である。
【００６０】
図１８は、発光装置Ｓ０における水平方向の視野角特性であり、図１９は、発光装置Ｓ０からプリズムシート１４０を除いた状態での水平方向の視野角特性である。特性ＷＡ１，ＷＡ２は、光源１０Ａが発光する場合における視野角特性であり、特性ＷＢ１，ＷＢ２は、光源１０Ｂが発光する場合における視野角特性である。発光装置Ｓ０からプリズムシート１４０を除いた状態では、図１９に示したように、特性ＷＡ２は、−８０度付近の観測角度でピークを有し、特性ＷＢ２は、６０度付近の観測角度でピークを有する。これに対して、プリズムシート１４０を装着すると、特性ＷＡ２，ＷＢ２は、ともに０度付近の観測角度でピークを有するようになる。このとき、特性ＷＢ２の幅は、特性ＷＡ２の幅とほぼ同じである。すなわち、複数の光源１０Ｂが発光する場合（特性ＷＢ２）は、複数の光源１０Ａが発光する場合（特性ＷＡ２）と、光の出射方向の広がりがほぼ同じである。
【００６１】
（発光装置Ｓ１）
発光装置Ｓ１は、発光装置Ｓ０において、導光板１２０を導光板２２０に置き換えたものである。導光板２２０の光出射面２２０Ｃ（表面）には、導光板１２０（図１７）と同様に、ＹＺ面において３角形の断面形状を有するとともにＸ軸方向に延在するレンズが、Ｙ軸方向に並設されている。また、導光板２２０の光出射面２２０Ｄ（裏面）には、複数のプリズムＰＡが形成されている。プリズムＰＡの緩斜面角度θ１は、Ｘ軸座標に依らず一定であり、０．１５度である。また、プリズムＰＡの急斜面角度θ２は、Ｘ軸座標に依らず一定であり、４９度である。プリズムＰＡの幅ＬＡは、Ｘ軸座標に依らず一定であり、０．２［ｍｍ］である。よって、プリズムＰＡの高さＨＡもまた、Ｘ軸座標に依らず一定である。また、導光板２０の厚さＤもまた、Ｘ軸座標に依らず一定である。
【００６２】
図２０は、発光装置Ｓ１における水平方向の視野角特性である。特性ＷＡ３は、光源１０Ａが発光する場合における視野角特性であり、特性ＷＢ３は、光源１０Ｂが発光する場合における視野角特性である。特性ＷＡ３は、発光装置Ｓ０の場合（図１８）と同様である。一方、特性ＷＢ３では、発光装置Ｓ０の場合（図１８）に比べて、−４０度付近および４０度付近の観測角度で光度が高くなっている。このように、発光装置Ｓ１では、プリズムＰＡの急斜面角度θ２を４９度に設定したので、複数の光源１０Ｂが発光する場合における光の出射方向の範囲を広く（指向性を低く）することができる。
【００６３】
（発光装置Ｓ２）
発光装置Ｓ２は、発光装置Ｓ１において、導光板２２０を導光板３２０に置き換えたものである。導光板３２０の光出射面３２０Ｃ（表面）には、導光板１２０（図１７）と同様に、ＹＺ面において３角形の断面形状を有するとともにＸ軸方向に延在するレンズが、Ｙ軸方向に並設されている。また、導光板３２０の光出射面３２０Ｄ（裏面）には、複数のプリズムＰＡが形成されている。プリズムＰＡの形状は、本実施の形態に係る発光装置１と同様である。
【００６４】
図２１Ａ，２１Ｂは、光源１０Ａが発光する場合での、発光装置Ｓ２における輝度の分布を表すものであり、図２１Ａは、輝度の面分布を示し、図２１Ｂは、水平方向における輝度の分布を示す。図２２Ａ，２２Ｂは、光源１０Ｂが発光する場合での、発光装置Ｓ２における輝度の分布を表すものであり、図２２Ａは、輝度の面分布を示し、図２２Ｂは、水平方向における輝度の分布を示す。図２１Ａ，２１Ｂ，２２Ａ，２２Ｂにおいて、右端は、複数の光源１０Ａが配置された側に対応し、左端は、複数の光源１０Ｂが配置された側に対応する。図２１Ｂ，２２Ｂでは、発光装置Ｓ２の特性ＷＡ４，ＷＢ４に加え、発光装置Ｓ１の特性ＷＡ５，ＷＢ５をも示している。
【００６５】
光源１０Ａが発光する場合には、図２１Ｂに示したように、水平方向における輝度分布（特性ＷＡ４）は、発光装置Ｓ１の場合（特性ＷＡ５）に比べて、より広い範囲に広がっている。また、光源１０Ｂが発光する場合には、図２２Ｂに示したように、水平方向における輝度分布（特性ＷＢ４）は、発光装置Ｓ１の場合（特性ＷＢ５）に比べて、より平坦になっている。このように、発光装置Ｓ２では、プリズムＰＡの形状がＸ軸座標に応じて変化するようにしたので、輝度分布の均一性を高めることができる
【００６６】
（発光装置Ｓ３）
発光装置Ｓ３は、発光装置Ｓ２において、導光板３２０を導光板４２０に置き換えたものである。導光板４２０の光出射面４２０Ｃ（表面）には、導光板１２０（図１７）と同様に、ＹＺ面において３角形の断面形状を有するとともにＸ軸方向に延在するレンズが、Ｙ軸方向に並設されている。また、導光板４２０の光出射面４２０Ｄ（裏面）には、複数のプリズムＰＡに加え、複数のプリズムＰＢが形成されている。プリズムＰＡ，ＰＢの形状は、本実施の形態に係る発光装置１と同様である。
【００６７】
図２３Ａ，２３Ｂは、光源１０Ａが発光する場合での、発光装置Ｓ３における輝度の分布を表すものであり、図２３Ａは、輝度の面分布を示し、図２３Ｂは、水平方向における輝度の分布を示す。図２４Ａ，２４Ｂは、光源１０Ｂが発光する場合での、発光装置Ｓ３における輝度の分布を表すものであり、図２４Ａは、輝度の面分布を示し、図２４Ｂは、水平方向における輝度の分布を示す。図２３Ａ，２３Ｂ，２４Ａ，２４Ｂにおいて、右端は、複数の光源１０Ａが配置された側に対応し、左端は、複数の光源１０Ｂが配置された側に対応する。図２３Ｂ，２４Ｂでは、発光装置Ｓ３の特性ＷＡ６，ＷＢ６に加え、発光装置Ｓ２の特性ＷＡ４，ＷＢ４をも示している。
【００６８】
光源１０Ａが発光する場合には、図２３Ｂに示したように、水平方向における輝度分布（特性ＷＡ６）は、発光装置Ｓ２の場合（特性ＷＡ４）に比べて、より広い範囲に広がるとともに、より平坦になっている。具体的には、複数の光源１０Ａが配置された側（右端）における輝度が、発光装置Ｓ２の場合に比べて大きくなっている。また、光源１０Ｂが発光する場合には、図２４Ｂに示したように、水平方向における輝度分布（特性ＷＢ６）は、発光装置Ｓ２の場合（特性ＷＢ４）に比べて、より広い範囲に広がっている。このように、発光装置Ｓ３では、プリズムＰＢを設けたので、輝度分布の均一性をさらに高めることができる
【００６９】
図２５Ａは、光源１０Ａが発光する場合での、光源１０Ａ近傍での輝度の面分布を表すものであり、図２５Ｂは、光源１０Ｂが発光する場合での、光源１０Ｂ近傍での輝度の面分布を表すものである。図２５Ａにおいて、右端は、複数の光源１０Ａが配置された側に対応する。同様に、図２５Ｂにおいて、左端は、複数の光源１０Ｂが配置された側に対応する。光源１０Ａが発光する場合には、図２５Ａに示したように、複数の光源１０Ａの近傍において、複数の光源１０Ａに対応した輝度分布（いわゆるホットスポット）が現れる。同様に、光源１０Ｂが発光する場合には、図２５Ｂに示したように、複数の光源１０Ｂの近傍において、複数の光源１０Ｂに対応した輝度分布が現れる。以下に示す発光装置Ｓ４では、このホットスポットをより目立たなくしている。
【００７０】
（発光装置Ｓ４）
発光装置Ｓ４は、発光装置Ｓ３において、導光板４２０を、本実施の形態に係る導光板２０に置き換えたものである。この導光板２０は、導光板４２０の光出射面４２０Ｃ（表面）をレンチキュラー形状（図１）にしたものである。
【００７１】
図２６Ａは、光源１０Ａが発光する場合での、光源１０Ａ近傍での輝度の面分布を表すものであり、図２６Ｂは、光源１０Ｂが発光する場合での、光源１０Ｂ近傍での輝度の面分布を表すものである。図２６Ａにおいて、右端は、複数の光源１０Ａが配置された側に対応する。同様に、図２６Ｂにおいて、左端は、複数の光源１０Ｂが配置された側に対応する。
【００７２】
光源１０Ａが発光する場合には、図２６Ａに示したように、複数の光源１０Ａの近傍において、複数の光源１０Ａに対応した輝度分布（いわゆるホットスポット）が現れる。同様に、光源１０Ｂが発光する場合には、図２６Ｂに示したように、複数の光源１０Ｂの近傍において、複数の光源１０Ｂに対応した輝度分布が現れる。ホットスポットの水平方向の長さは、発光装置Ｓ３の場合（図２５Ａ，２５Ｂ）に比べて短くなっている。このように、発光装置Ｓ４では、導光板２０の光出射面２０Ｃ（表面）をレンチキュラー形状にしたので、ホットスポットがより目立たなくすることができる。
【００７３】
図２７は、発光装置Ｓ４における水平方向の視野角特性である。特性ＷＡ７は、光源１０Ａが発光する場合における視野角特性であり、特性ＷＢ７は、光源１０Ｂが発光する場合における視野角特性である。このように、発光装置Ｓ４では、発光装置Ｓ１（図２０）などと同様に、複数の光源１０Ａが発光する場合には、光の出射方向の範囲を狭く（指向性を高く）するとともに、複数の光源１０Ｂが発光する場合には、光の出射方向の範囲を広く（指向性を低く）することができる。以下に示す発光装置Ｓ５では、複数の光源１０Ｂが発光する場合における、視野角特性を改善している。
【００７４】
（発光装置Ｓ５）
発光装置Ｓ５は、発光装置Ｓ４において、プリズムシート１４０を、本実施の形態に係るプリズムシート４０に置き換えたものである。このプリズムシート４０の光入射面４０Ａには、図１０に示したように、Ｘ軸方向において非対称な形状を有する複数のプリズムＱが形成されている。
【００７５】
図２８は、発光装置Ｓ５における水平方向の視野角特性である。特性ＷＡ８は、光源１０Ａが発光する場合における視野角特性であり、特性ＷＢ８は、光源１０Ｂが発光する場合における視野角特性である。特性ＷＡ８は、発光装置Ｓ４の場合（図２７）と同様である。一方、特性ＷＢ８は、発光装置Ｓ４の場合（図２７）に比べて、−２０度付近の観測角度で光度が高くなっている。このように、発光装置Ｓ５では、非対称な形状を有する複数のプリズムＱを用いるようにしたので、複数の光源１０Ｂが発光する場合において、視野角特性を改善することができる。
【００７６】
そして、この発光装置Ｓ５に、さらに、拡散シート５０を設けることにより、図１５に示したように、視野角特性をさらに改善することができる。
【００７７】
（急斜面角度θ２について）
発光装置１では、急斜面角度θ２を４９度とした。これにより、発光装置１では、参考例に係る発光装置Ｓ０，Ｓ１を例に説明したように、複数の光源１０Ｂが発光する場合における光の出射方向の範囲を広く（指向性を低く）することができる。以下に、この参考例に係る発光装置Ｓ１を基準として急斜面角度θ２を変化させたときの視野角特性について説明する。
【００７８】
図２９Ａ〜２９Ｆは、水平方向の視野角特性を表すものであり、図２９Ａは、急斜面角度θ２を７０度にした場合（すなわち発光装置Ｓ０の場合）を示し、図２９Ｂは、急斜面角度θ２を５９度にした場合を示し、図２９Ｃは、急斜面角度θ２を４９度にした場合（すなわち発光装置Ｓ２の場合）を示し、図２９Ｄは、急斜面角度θ２を３９度にした場合を示し、図２９Ｅは、急斜面角度θ２を１９度にした場合を示し、図２９Ｆは、急斜面角度θ２を９度にした場合を示す。特性ＷＡ１１〜ＷＡ１６は、複数の光源１０Ａが発光する場合における視野角特性であり、特性ＷＢ１１〜ＷＢ１６は、複数の光源１０Ｂが発光する場合における視野角特性である。
【００７９】
急斜面角度θ２を７０度にした場合（図２９Ａ）には、複数の光源１０Ｂが発光する場合の特性ＷＢ１１は、複数の光源１０Ａが発光する場合の特性ＷＡ１１と、光の出射方向の広がりがほぼ同じである。急斜面角度θ２を５９度にした場合（図２９Ｂ）には、特性ＷＢ１２は、−５０度付近および３０度付近の観測角度で光度が高くなっている。このとき、負の観測角度の側で光度が高めになっている。
【００８０】
一方、急斜面角度θ２を３９度にした場合（図２９Ｄ）には、特性ＷＢ１４は、−４０度付近および４０度付近の観測角度で光度が高くなっている。このとき、正の観測角度の側で光度が高めになる。急斜面角度θ２を１９度にした場合（図２９Ｅ）には、特性ＷＢ１５は、図２９Ｄの場合に見られた複数のピークが一体化しつつある状態である。急斜面角度θ２を９度にした場合（図２９Ｆ）には、特性ＷＢ１６は、図２９Ｄの場合に見られた複数のピークが一体化し、特性ＷＡ１６よりも光の出射方向の範囲がやや広い程度である。
【００８１】
以上より、急斜面角度θ２は、例えば、１９度以上５９度以下が望ましく、特に、３９度以上５９度以下が好ましい。これにより、発光装置１では、複数の光源１０Ｂが発光する場合における光の出射方向の範囲を広く（指向性を低く）することができる。
【００８２】
［効果］
以上のように本実施の形態では、複数の光源１０Ａからなる光源部と、複数の光源１０Ｂからなる光源部とを、個別に発光可能に構成したので、複数の光源１０Ａが発光する場合と、複数の光源１０Ｂが発光する場合とで、指向性を変化させることができる。
【００８３】
本実施の形態では、プリズムＰＡの急斜面角度θ２を４９度付近に設定したので、複数の光源１０Ｂが発光する場合における光の出射方向の範囲を広く（指向性を低く）することができる。
【００８４】
本実施の形態では、プリズムＰＡの形状がＸ軸座標に応じて変化するようにしたので、輝度分布の均一性を高めることができる。また、さらにプリズムＰＡに加えてプリズムＰＢを設けたので、輝度分布の均一性をさらに高めることができる
【００８５】
本実施の形態では、導光板２０の光出射面２０Ｃ（表面）をレンチキュラー形状にしたので、ホットスポットがより目立たなくすることができる。
【００８６】
本実施の形態では、非対称な形状を有する複数のプリズムＱを有するプリズムシートを設けたので、複数の光源１０Ｂが発光する場合において、視野角特性を改善することができる。また、さらに拡散シート５０を設けるようにしたので、視野角特性をさらに改善することができる。
【００８７】
［変形例］
上記実施の形態では、導光板２０の光出射面２０Ｃがプリズムシート４０に対向し、光出射面２０Ｄが反射シート３０に対向するようにしたが、これに限定されるものではなく、これに代えて、例えば、図３０に示す発光装置１Ｂのように、導光板２０を裏返し、光出射面２０Ｄがプリズムシート４０に対向し、光出射面２０Ｃが反射シート３０に対向するようにしてもよい。
【００８８】
＜２．第２の実施の形態＞
次に、第２の実施の形態に係る表示装置２について説明する。この表示装置２は、発光装置１をバックライトとして用いた液晶表示装置である。
【００８９】
図３１は、第２の実施の形態に係る表示装置２の一構成例を表すものである。表示装置２は、液晶表示部９と、発光装置１とを備えている。発光装置１は、液晶表示部９の背面側に配置されている。
【００９０】
液晶表示部９は、透過型の液晶表示部であり、図示しない複数の画素Ｐｉｘがマトリクス状に配置されている。そして、液晶表示部９は、供給された画像信号に基づいて、発光装置１から射出した光を変調する。これにより、表示装置２では、画像を表示する。
【００９１】
発光装置１は、第１の実施の形態に示したように、複数の光源１０Ａが発光する場合と、複数の光源１０Ｂが発光する場合とで、指向性を変化させることができるように構成されている。これにより、表示装置２では、複数の光源１０Ａが発光する場合には、視野角を狭くして表示を行い、複数の光源１０Ｂが発光する場合には、視野角を広くして表示を行うことができる。
【００９２】
＜３．適用例＞
次に、上記実施の形態および変形例で説明した発光装置の適用例について説明する。
【００９３】
図３２Ａは、上記実施の形態等の発光装置が適用される電子ブックの外観を表すものである。図３２Ｂは、上記実施の形態等の発光装置が適用される他の電子ブックの外観を表すものである。これらの電子ブックは、いずれも、例えば、表示部２１０および非表示部２２０を有しており、この表示部２１０は、例えば、上記実施の形態等に係る発光装置をバックライトとして用いた液晶表示パネルにより構成されている。
【００９４】
図３３は、上記実施の形態等の発光装置が適用されるスマートフォンの外観を表すものである。このスマートフォンは、例えば、表示部２３０および非表示部２４０を有しており、この表示部２３０は、例えば、上記実施の形態等に係る発光装置をバックライトとして用いた液晶表示パネルにより構成されている。
【００９５】
上記実施の形態等の発光装置は、このような電子ブックやスマートフォンの他、テレビジョン装置やノート型パーソナルコンピュータなどのあらゆる分野の電子機器に適用することが可能である。
【００９６】
図３４は、上記実施の形態等の発光装置が適用される室内用の照明装置の外観を表したものである。この照明装置は、例えば、上記実施の形態等に係る発光装置により構成された照明部８４４を有している。照明部８４４は、建造物の天井８５０Ａに適宜の個数および間隔で配置されている。なお、照明部８４４は、用途に応じて、天井８５０Ａに限らず、壁８５０Ｂまたは床（図示せず）など任意の場所に設置することが可能である。
【００９７】
これらの電子機器や照明装置では、発光装置からの光により、照明が行われる。その際、指向性を変化させることができる。よって、例えば、カーナビゲーション装置に適用した場合には、運転中などに光の出射方向の範囲を狭くすることにより、運転者が表示画像を視認できないようにすることができる。また、照明装置に適用した場合には、光の出射方向の範囲を広くすることにより通常の照明として使用し、光の出射方向の範囲を狭くすることにより、例えばスポットライトや間接照明として用いることができる。このように、上記実施の形態等の発光装置を電子機器や照明装置に適用することにより、様々な機能を実現することができる。
【００９８】
以上、実施の形態および変形例、ならびに電子機器への適用例を挙げて本技術を説明したが、本技術はこれらの実施の形態等には限定されず、種々の変形が可能である。例えば、上記実施の形態において説明した各種パラメータは限定されるものではなく、パラメータの数値を適宜変更してもよい。
【００９９】
また、例えば、上記実施の形態では、発光ダイオードを用いて光源１０Ａ，１０Ｂを構成したが、これに限定されるものではなく、これに代えて、例えば、冷陰極管（ＣＣＦＬ；Cold Cathode Fluorescent Lamp）を用いて光源を構成してもよい。
【０１００】
また、例えば、上記実施の形態において発光装置の構成を具体的に挙げて説明したが、全ての構成要素を備える必要はなく、また、他の構成要素を備えていてもよい。
【０１０１】
なお、本明細書に記載された効果はあくまで例示であって限定されるものではなく、また他の効果があってもよい。
【図１】
2020098799.tif 000003
【図２】
2020098799.tif 000004
【図３】
2020098799.tif 000005
【図４】
2020098799.tif 000006
【図５】
2020098799.tif 000007
【図６】
2020098799.tif 000008
【図７】
2020098799.tif 000009
【図８】
2020098799.tif 000010
【図９】
2020098799.tif 000011
【図１０】
2020098799.tif 000012
【図１１】
2020098799.tif 000013
【図１２】
2020098799.tif 000014
【図１３】
2020098799.tif 000015
【図１４】
2020098799.tif 000016
【図１５】
2020098799.tif 000017
【図１６】
2020098799.tif 000018
【図１７】
2020098799.tif 000019
【図１８】
2020098799.tif 000020
【図１９】
2020098799.tif 000021
【図２０】
2020098799.tif 000022
【図２１Ａ】
2020098799.tif 000023
【図２１Ｂ】
2020098799.tif 000024
【図２２Ａ】
2020098799.tif 000025
【図２２Ｂ】
2020098799.tif 000026
【図２３Ａ】
2020098799.tif 000027
【図２３Ｂ】
2020098799.tif 000028
【図２４Ａ】
2020098799.tif 000029
【図２４Ｂ】
2020098799.tif 000030
【図２５Ａ】
2020098799.tif 000031
【図２５Ｂ】
2020098799.tif 000032
【図２６Ａ】
2020098799.tif 000033
【図２６Ｂ】
2020098799.tif 000034
【図２７】
2020098799.tif 000035
【図２８】
2020098799.tif 000036
【図２９Ａ】
2020098799.tif 000037
【図２９Ｂ】
2020098799.tif 000038
【図２９Ｃ】
2020098799.tif 000039
【図２９Ｄ】
2020098799.tif 000040
【図２９Ｅ】
2020098799.tif 000041
【図２９Ｆ】
2020098799.tif 000042
【図３０】
2020098799.tif 000043
【図３１】
2020098799.tif 000044
【図３２Ａ】
2020098799.tif 000045
【図３２Ｂ】
2020098799.tif 000046
【図３３】
2020098799.tif 000047
【図３４】
2020098799.tif 000048